(57)【要約】【課題】接触材固定床特にひも状接触材を用いた揺動床固定床を排水処理槽内に設置し易く、かつ接触材の配置が正確に行える接触材支持体ユニットの配置方法を提供する。【解決手段】直方体形状に組み立てられた枠体に接触材が配置されて接触材支持体ユニット１とされ、該枠体１下方の対向する一対の枠材２の下側に、枠材２と平行にそれぞれ凸条体４が設けられ、上記接触材支持体ユニット１が配置される排水処理槽の底面に上記凸条体４を受ける案内レール７が設けられ、該案内レール７に上記凸条体４を挿脱自在に嵌め合わす。【選択図】  図１
2004358320.tif 000002
【特許請求の範囲】
【請求項１】
直方体形状に組み立てられた枠体に接触材が配置されて接触材支持体ユニットとされ、該枠体下方の対向する一対の枠材の下側に、枠材と平行にそれぞれ凸条体が設けられ、上記接触材支持体ユニットが配置される排水処理槽の底面に上記凸条体を受ける案内レールが設けられ、該案内レールに上記凸条体を挿脱自在に嵌め合わすことを特徴とする接触材支持体ユニットを排水処理槽内へ配置する方法。
【請求項２】
複数の接触材支持体ユニットが並設されることを特徴とする請求項１記載の接触材支持体ユニットの配置方法。
【請求項３】
直方体形状に組み立てられた枠体に接触材が配置されて接触材支持体ユニットとされ、該枠体下方の対向する一対の枠材の下側に枠材と平行にそれぞれ凸条体が設けられ、該枠体上方の対向する一対の枠材の上側に前記凸条体と平行にそれぞれ上向きの案内レールが設けられ、上記接触材支持体ユニットが配置される排水処理槽の底面に上記凸条体を受ける案内レールが設けられ、処理槽の案内レールに凸条体を挿脱自在に嵌め合わして下段枠体が配置され、配置された下段枠体の上に上段枠体が配置され、下段枠体の下方の枠材の上側に設けられた案内レールに、上段枠材の下側に設けられた凸条体が挿脱自在に嵌め合わされて配置されることを特徴とする接触材支持体ユニットの配置方法。
【請求項４】
下段に複数の接触材支持体ユニットが並設され、それ等の上段に複数の接触材支持体ユニットが並設され、少なくとも接触材支持体ユニットが２段以上積み重ねられることを特徴とする請求項３記載の接触材支持体ユニットの配置方法。
【請求項５】
接触材がひも状接触材であることを特徴とする請求項１乃至４記載の接触材支持体ユニットの配置方法。
【発明の詳細な説明】
【０００１】
【発明の属する技術分野】
本発明は、排水処理槽に用いられる、接触材支持体ユニットを排水処理槽内に配置する方法に関する。
【０００２】
【従来の技術】
排水処理方法の一つに、排水処理槽内に配置した固定床に、固定床エレメントとして微生物担体を取り付け、この微生物担体に排水を接触させて浄化する方法がある。用いられる微生物担体は接触材と呼ばれ、例えば、「固定床の枠体ヘの取付け部が距離をおいて一対配置され、これら取付け部どうしの間に複数の経糸が並列に配置され、各経糸に所定長さの多数の緯糸が織り込まれ、各経糸の長さ方向の中間に加えられた捩りによりこの経糸に長さ方向にわたる撚りが与えられることで、前記多数の緯糸が各経糸のまわりに螺旋条に配列されるとともに各経糸から放射状に突出され、各経糸に与えられた撚りの状態を保持させる固定具が設けられていることを特徴とする水処理用固定床エレメント」が知られている（例えば、特許文献１参照。）。
【０００３】
文献１の接触材即ち水処理用固定床エレメントはひも状であり、これを組み込まれた固定床においては、排水処理槽中の排水の流動に伴って、ひも状接触材が揺動するので、揺動床と呼ばれる。この揺動床を排水処理槽内に配置する方法は、第１の方法として、排水処理槽内の対面する側壁同士の上部と下部とに、側壁面に直接それぞれ接触材支持棒を設けて、この上下の接触材支持棒にひも状接触材を架けて揺動床とする方法や、第２の方法として、排水処理槽外で、直方体形状に組み立てられた枠体の上方の枠材と下方の枠材との間にひも状接触材を架けて揺動床ユニットとし、この枠体即ち揺動床ユニットを排水処理槽内の所定の位置に配置する方法等がある。
【０００４】
【特許文献１】特開平７−２７５８８０号公報
【０００５】
【発明が解決しようとする課題】
しかしながら、上記第１の方法では、排水処理槽内で接触材の取り付け作業を行わねばならず、しかも、必要な長さだけの接触材を支持棒に固定しなければならないので、接触材の取り付け作業が繁雑となり、また接触材を交換する場合は更に煩雑な作業となっていた。
【０００６】
又、第２の方法では、枠体を処理槽内に配置するに際し、配置位置の目安がない場合には位置決めがし難く、配置したとしても最適な位置からずれてしまう可能性が大きいものであった。また、大型の処理槽になれば、枠体も大きくなり作業がより困難になる。枠体を小型にすれば配置の作業性は向上するが、相互の寸法の取り合いが分かりづらく、配置がより不正確になりやすいという問題点があった。
【０００７】
本発明は、上記従来の接触材固定床を設ける方法が有する欠点を解消し、接触材固定床、特にひも状接触材を用いた揺動床固定床を排水処理槽内に設置し易く、かつ接触材の配置が正確に行える接触材支持体ユニットの配置方法を提供する目的で行われたものである。
【０００８】
【課題を解決するための手段】
上記目的を達成するための本発明の請求項１記載の接触材支持体ユニットの配置方法（発明１）は、直方体形状に組み立てられた枠体に接触材が配置されて接触材支持体ユニットとされ、該枠体下方の対向する一対の枠材の下側に、枠材と平行にそれぞれ凸条体が設けられ、上記接触材支持体ユニットが配置される排水処理槽の底面に上記凸条体を受ける案内レールが設けられ、該案内レールに上記凸条体を挿脱自在に嵌め合わすことを特徴とする。
【０００９】
請求項２記載の発明（発明２）は、複数の接触材支持体ユニットが並設されることを特徴とする発明１の接触材支持体ユニットの配置方法である。
【００１０】
請求項３記載の接触材支持体ユニットの配置方法（発明３）は、直方体形状に組み立てられた枠体に接触材が配置されて接触材支持体ユニットとされ、該枠体下方の対向する一対の枠材の下側に枠材と平行にそれぞれ凸条体が設けられ、該枠体上方の対向する一対の枠材の上側に前記凸条体と平行にそれぞれ上向きの案内レールが設けられ、上記接触材支持体ユニットが配置される排水処理槽の底面に上記凸条体を受ける案内レールが設けられ、処理槽の案内レールに凸条体を挿脱自在に嵌め合わして下段枠体が配置され、配置された下段枠体の上に上段枠体が配置され、下段枠体の下方の枠材の上側に設けられた案内レールに、上段枠材の下側に設けられた凸条体が挿脱自在に嵌め合わされて配置されることを特徴とする。
【００１１】
請求項４記載の発明（発明４）は、下段に複数の接触材支持体ユニットが並設され、それ等の上段に複数の接触材支持体ユニットが並設され、少なくとも接触材支持体ユニットが２段以上積み重ねられることを特徴とする発明３の接触材支持体ユニットの配置方法である。
【００１２】
請求項５記載の発明（発明５）は、接触材がひも状接触材であることを特徴とする発明１乃至４の接触材支持体ユニットの配置方法である。
【００１３】
本発明は、接触材を取り付けた枠体の下部に凸条体を取り付けて接触材支持体ユニットとし、この支持体ユニットを、排水処理槽の底面に設けられた案内レールに上記凸条体を挿脱自在に配置して接触材固定床とするものである。支持体ユニットは、必要な数だけ処理槽内に並列又は立設して設けられれば良い。
【００１４】
接触材支持体ユニットは、排水中に没して使用される。従って、ステンレススチール、メッキ、塗装、樹脂コーティング、化学修飾等耐蝕加工を施した鉄、アルミニウム等の金属類；ＦＲＰ（繊維強化プラスチック）、ＦＲＰＭ（レジンコンクリート）等強化樹脂類；或いはこれらを併用した複合材料類等で構成される。勿論、接触材の固定具や枠体の組立具等、その他の材料類も耐食性を有する材料である必要がある。
【００１５】
接触材支持体ユニット本体は、直方体形状の枠体である。この枠体の下方の２本の枠体のそれぞれの下側に、枠体と平行に一対の凸条体が設けられる。この凸条体は、枠体から下方にステーを突設してこれに取り付けても良く、枠体に下方に向かって直接取り付けても良い。取付けの方法は、溶接接続する方法、ボルトとナットでの締結接続する方法等、特に限定されない。
【００１６】
枠体上部４本の枠材のうち、対向する枠材同士の間には、複数の接触材取り付け棒が渡される。枠体下部の４本の枠材においても、同様に複数の接触材取り付け棒が渡され、上方の取り付け棒と下方の取り付け棒との間に接触材が配置されて固定される。例えば、上方の接触材取り付け棒と下方の接触材取り付け棒との間に、接触材を架けられるものである。
【００１７】
接触材は、一般的な生物膜の担体となるものであれば特に制限されないが、例えば一例として、前記特許文献１に記載のようなひも状又は簾状に形成された接触材等が挙げられる。また、ひも状接触材を接触材支持体ユニットに取り付ける方法や取り付け構造は、従来と同じ方法や構造とされれば良いので、特に説明はしない。
【００１８】
接触材支持体ユニットが配置される排水処理槽の底面には、上記凸条体に対応する案内レールが設けられる。案内レールは、予め用いる接触材支持体ユニットが、排水処理槽内の正しい位置に配置されるように設けられる。
【００１９】
案内レールは、上記凸条体と案内レールとが挿脱自在でかつ摺動可能な状態で嵌り合う状態とされれれば良く特にその断面形状は限定されない。即ち、案内レール断面は凹型の溝状あるいは単なる板状とされていても良く、いずれの形状であっても、上記凸条体が嵌り合えば良いのである。
【００２０】
接触材支持体ユニットは、クレーン等で吊り降ろされて、上記凸条体をこの案内レールに挿脱自在に嵌め合わせる。排水処理槽が大きくて、複数個の接触材支持体ユニットを用いる場合は、案内レールに沿って接触材支持体ユニットを移動し、開いた後の空間に次の接触材支持体ユニットを降ろせば良い。このようにすれば、全ての接触材支持体ユニットを正しい位置に容易に配置することができる。
【００２１】
発明３の接触材支持体ユニットは、排水処理槽が深い場合等、多段に枠体を積み重ねて用いる場合に利用される。即ち、枠体下方の２本の枠材のそれぞれの下側に枠材と平行に凸条体が設けられ、該枠体上方の２本の枠材のそれぞれの上側に前記凸条体と平行に上向きの案内レールが設けられている。従って、第１の枠体を排水処理槽の底面に設けられた案内レールに上記凸条体を嵌め合わせて配置した後、その配置された第１の枠体の上に別の第２の枠体を載置し、第２の枠体に設けられた凸条体を、第１の枠体に設けられた案内レールに挿脱自在に嵌め合わすと、枠体を容易に積み重ねることができ、しかも正しい位置に配置することができる。
【００２２】
なお、排水処理槽が大きい場合には発明２のように複数個の接触材支持体ユニットを並設しても良く、発明４のように、複数個の接触材支持体ユニットを並設し他上野更に複数個の接触材支持体ユニットを多段に積み重ねても良い。
【００２３】
（作用）
発明１の接触材支持体ユニットの配置方法は、予め、直方体形状に組み立てられた枠体に、接触材が配置されて接触材支持体ユニットとされるので、排水処理槽内での接触材取り付け作業がなくなり、接触材固定床の設置作業が容易になる。また、該枠体下方の対向する一対の枠材の下側に、枠材と平行にそれぞれ凸条体が設けられ、上記接触材支持体ユニットが配置される排水処理槽の底面に上記凸条体を受ける案内レールが設けられ、該案内レールに上記凸条体を挿脱自在に嵌め合わすので、接触材支持体ユニットのサイズ等に対応して、接触材支持体ユニットが正しい配置位置になるように案内レールを設けると、接触材支持体ユニット下部の凸条体をその案内レールに嵌め込むのみで、容易に正しい位置に接触材が配置される。
【００２４】
発明２における、複数個の接触材支持体ユニットを処理槽内に並設配置する場合も、同様である。
【００２５】
発明３の接触材支持体ユニットの配置方法は、発明１の接触材支持体ユニットの上部に案内レールが設けられ、積み重ねが可能とされている。従って、下段に」接触材支持体ユニットが正しく配置されれば、その上に多段に接触材支持体ユニットが積み重ねるのみで、全ての接触材支持体ユニットは排水処理槽内に正しく容易に配置される。
【００２６】
発明４における、下段に複数個の接触材支持体ユニットが並設配置される場合でも、同様である。
【００２７】
発明５においては、接触材がひも状接触材であるので、排水処理装置内で接触材を取り付ける作業がなくなり、揺動床固定床の設置作業が容易になる。
【００２８】
【発明の実施の形態】
次に本発明を、図面を参照して説明する。図１は発明１の接触材支持体ユニットの一例の斜視図である。図２はその配置方法の一例を示す斜視図である。図３は発明３の接触材支持体ユニットの一例の斜視図である。いずれも、ひも状接触材を用いた場合であるが、ひも状接触材の形状や接触材支持体ユニット枠材への固定方法は従来の方法と変わりがないので、記載を省略し説明もしない。
【００２９】
長方形形状の接触材支持体ユニット１１は、上部枠材２の面内及び下部枠材３の面内にひも状接触材を巻き回して支持しかつ固定するための、複数の支持兼固定棒６が設けられている。但し、前述の通り、ひも状接触材の形状や接触材支持体ユニット枠材への固定方法は記載していない。
【００３０】
接触材支持体ユニット１１は、その下部の枠材２の下側にステー４１を介して一対の凸条体４が設けられている。凸条体４は枠材２に平行に設けられている。
【００３１】
枠材や凸条体等は、ステンレススチール、耐蝕加工した鉄やアルミニウム、それらの合金製等の金属製角管、丸管、Ｌ型、Ｉ型、Ｃ型、Ｈ型等の型材、角棒、丸棒等の材料を、通常は溶接或いはボルトとナット等で組み立てられる。
【００３２】
排水処理槽には、その底面に案内レール７が固定されている。本例の場合、この案内レール７は、ステンレススチール製のＬ型材をボルト（図示せず）で固定したものであり、その間隔は、凸条体が嵌り込む間隔とされている。排水処理槽１が大型で、例えば（鉄筋）コンクリート等で構成される場合は、コンクリート床板に直接案内レール７が設けられても良い。案内レール７には、枠体１１の下部に設けられる凸条体４が挿脱自在に嵌め合わされ、かつ必要に応じて摺動自在とされている。案内レール７は、排水処理槽内に接触材固定床を配置する際、適切な位置に接触材支持体ユニット１１が配置できる位置に設けられる。
【００３３】
この接触材支持体ユニット１１を排水処理槽内に配置する方法は、、排水処理槽底面に設けられた案内レール７に接触材支持体ユニット１１の下部枠材２に取り付けられた凸条体４を嵌め合わせて配置されれば良い。複数の接触材支持体ユニット１１が配置される場合は、案内レール７に沿って接触材支持体ユニット１１を移動し、空いた空間に次の接触材支持体ユニット１１を嵌め合わせ、これを繰り返せば良い。又、接触材支持体ユニット１１を複数列設ける場合は、複数組の案内レール７を併設し、それぞれの案内レール７に枠体の数枠材２に設けられた凸条体４を嵌め合わせば良い。
【００３４】
更に大型の排水処理槽であって、接触材支持体ユニットが多段に積み重ねられて用いられる場合等では、図３に示されるように、枠体１２の上部枠材３の上側に、ステー５１等を介して枠体案内レール５が設けられた多段用接触材支持体ユニット１２が用いられる。
【００３５】
この枠体案内レール５は、排水処理槽に設けられる処理槽案内レール７と同様の機能を有するものである。即ち、この接触材支持体ユニット１２を排水処理増の案内レール７に嵌め合わせて配置した後、その配置された下段の枠体１２の上部枠材の上部に設けられる枠体案内レール５に、上段に載せられる枠体の下部枠材の下部に設けられる凸条体が嵌め合わされる。
【００３６】
排水処理槽の底面に設けられる案内レール７が、排水処理槽内に接触材固定床を配置する際、適切な位置に接触材支持体ユニット１２が配置できる位置に設けられているので、その上に多段に配置される接触材支持体ユニット１２も、自動的に正しい位置に配置されることになる。
【００３７】
接触材をユニット化し、位置決めが容易となったので、施工現場での接触材充填作業に要する時間が、排水処理槽内に直接ひも状接触材を取り付ける場合と比較して、約三分の一となった。又、接触材交換の際し、予め接触材を組み込んだ接触材支持体ユニットを準備しておくと、交換の手間が五分の一となった。
【００３８】
なお、本発明の接触材支持体ユニットを排水処理槽内に配置する方法は、適用される接触材としては特に限定されるものではない、ひも状接触材を用いた揺動床固定床の場合では、排水処理槽内に直接適切に配置使用とすればその作業には多くの時間を要していたものが、その作業時間が短縮され同時に正確な配置とが可能になるので、特に好ましく適用される。
【００３９】
【発明の効果】
以上の通りであるから、発明１乃至発明４のいずれの接触材支持体ユニットを用いた配置方法においても、単に案内レールに凸条体を嵌め合わせるだけの簡単な作業で、接触材固定床特にひも状接触材を用いた揺動床固定床を排水処理槽内に設置し易く、かつ接触材の配置が正確に行える接触材支持体ユニットの配置方法となるのである。
【図面の簡単な説明】
【図１】発明１の接触材支持体ユニットの一例の斜視図である。
【図２】図２はその配置方法の一例を示す斜視図である。
【図３】発明３の接触材支持体ユニットの一例の斜視図である。
【符号の説明】
１１  単段用接触材支持体ユニット（枠体）
１２  多段用接触材支持体ユニット（枠体）
２  下部枠材
３  上部枠材
４  凸条体
４１  ステー等
５  枠体の案内レール
５１  ステー等
６  接触材支持兼固定棒
７  処理槽の案内レール
【図１】
2004358320.tif 000003
【図２】
2004358320.tif 000004
【図３】
2004358320.tif 000005